(57)【特許請求の範囲】
【請求項１】
移動部材と、前記移動部材を移動させる移動装置と、前記移動装置に取り付けられて前記移動部材を覆うキャップとを少なくとも有し、
前記移動部材は、肩部が設けられた端部と、前記移動部材の移動方向に沿って線状に延びた複数の凸部とを有し、前記端部は突き出し具を取り付け可能に構成され、
前記キャップには、前記突き出し具が貫通可能な貫通孔と、前記貫通孔内に向けて突起する突起部とが形成され、前記突起部に前記移動部材の肩部が当接することにより、前記突き出し具の前記キャップから突き出す長さが規定され、
前記肩部は、前記突起部と当接し得る部分の高さが段階的に変化するように形成され、前記突き出す長さは前記突起部と当接した部分の高さに応じて調整され、
前記凸部の各々は、段階的に変化する前記肩部の各高さと対応し、前記移動装置は前記凸部が嵌入される溝を有し、
前記凸部が前記溝に嵌入した状態で、前記移動部材を前記移動装置によって移動させることにより、前記溝に嵌入された凸部に対応する所定の高さの肩部と、前記キャップに形成された前記突起部とが当接する突き出し装置。
【請求項２】
前記移動部材が、前記凸部に代えて溝を有し、前記移動装置が、前記溝に代えて凸部を有しており、この凸部が前記溝に嵌入される請求項１記載の突き出し装置。
【請求項３】
前記肩部の高さが２〜１２段階で変化する請求項１記載の突き出し装置。
【請求項４】
前記突き出し具が、ノミ、砥石、カンナ、スクレーパ、ドリル、ノコギリ、レンチ、カッター、ヤスリ、又はリーマである請求項１記載の突き出し装置。
【請求項５】
前記移動装置が、前記移動部材を射出して、これを移動させる請求項１記載の突き出し装置。
【請求項６】
前記移動部材が、ランセットを構成する柱状本体である請求項１記載の突き出し装置。
【請求項７】
前記移動装置がランセット射出デバイスを構成するデバイス本体であり、前記キャップがランセット射出デバイスを構成するキャップである請求項６記載の突き出し装置。
【請求項８】
前記突き出し具が、ランセット用の針又は刃である請求項６記載の突き出し装置。
【請求項９】
前記突き出し具の前記キャップから突き出す長さが、０．０〜４．０ｍｍの範囲で調節可能な請求項６記載の突き出し装置。
【請求項１０】
前記移動部材がランセットを構成する柱状本体であり、前記突き出し具がランセット用の針又は刃であり、前記移動装置がランセット射出デバイスを構成するデバイス本体であり、前記キャップがランセット射出デバイスを構成するキャップである請求項１記載の突き出し装置。
【請求項１１】
請求項１に記載の突き出し装置を構成する移動部材として機能し、柱状本体の先端に針または刃が取り付けられて構成されていることを特徴とするランセット。
【発明の詳細な説明】
技術分野
本発明は、切削用、穿孔用又は切断用等の工具や穿刺用の医療器具に有用な突き出し装置に関し、特には、採血の際に使用するランセットアセンブリに関する。
背景技術
従来から、加工対象物に切削、切断又は穿孔を行なう部材が先端に取り付けられた工具が、数多く知られ、様々な分野で用いられている。これらの工具を用いた加工においては、加工対象物の加工程度を調整する必要がある場合が多い。例えば、切削加工においては切削量の調整が必要となる場合があり、穿孔加工においては孔の深さの調整が必要となる場合がある。
ここで工具について、ドリルを用いて穿孔を行なう場合について説明する。通常、ドリルは、切刃のついたボデーとシャンクとで構成されている。ドリルの固定は、シャンクをチャックに挿入し、更にチャックにカバーを被せ、カバーでチャックを締め込むことによって行なわれる。このとき、チャックから突き出すドリルの長さを調整することにより、形成する孔の深さを調整することができる。
しかしながら、ドリルの長さ調整には測定器具等が必要であり、使用者においては煩雑な作業が強いられる。また、例えば、加工対象物が薄い板であり、形成する孔がこれを貫通してはならない場合であるならば、ドリルの長さ調整は極めて微妙、かつ、困難なものとなる。
また、医療器具について、ランセットを用いて穿刺を行なう場合について説明する。糖尿病患者は、自分自身で血糖値を測定する必要があり、このために、使い捨てのランセットを用いて自己採血するのが一般的である。ランセットは、柱状本体の先端に針または刃が取り付けられた構造が一般的である。ランセットは、通常、ランセットデバイスにセットして使用される（通常、ランセットがランセットデバイスにセットされたものを「ランセットアセンブリ」という。）。
ランセットデバイスは、ランセットを射出してこれを長さ方向に移動させる移動装置（「ランセットデバイス本体」という。）と、キャップとで構成されている。キャップは、ランセットをデバイスにセットした後、ランセットに被せられ、ランセットデバイス本体に固定される。
キャップ先端には貫通孔があり、これはランセットの針若しくは刃を通す小さなものである。このため、ランセットが発射されても、柱状本体の先端がキャップに当たるので、針若しくは刃は所定の長さだけキャップ外に飛び出し、所定の深さで皮膚に突き刺さることになる。飛び出した針若しくは刃は、自動的にデバイス内に戻るようになっている。
ここで、ランセットの突刺し深さ、即ちランセットの針若しくは刃の突き出し長さは重要であり、浅すぎると測定に不十分な量の血液しか出ないし、深すぎると、必要以上に出血するとともに患者に苦痛を与える。
一般的なランセットデバイスでは１乃至４段階で皮膚の突刺し深さ（針又は刃の突き出す長さ）が調節できる。例えば、長いキャップから短いキャップまで数種類準備し、この中から突刺し深さに応じて選んで使用する方式がある（キャップ交換方式）。この他に、キャップが二重構造になっており、キャップを左右にひねることにより、キャップ外殻部分を前後させてキャップ内部の距離を調節する方式がある（例えば、ＷＯ９７／０４７０７号公報、特表平１０−５０８５２７号公報）。
しかしながら、キャップ交換方式では、これを取りかえる使用者の手間が増え、また部品数が多くなるため製造効率上も問題がある。また、キャップを二重構造にする方式は、キャップ構造が複雑になるため、製造工程も複雑になる。
本発明は、このような事情に鑑みなされたもので、簡単な構造で、しかも使用者が簡単に器具の突き出す長さを調節できる突き出し装置の提供を、その目的とする。
発明の開示
前記目的を達成するために、本発明の突き出し装置は、移動部材と、前記移動部材を移動させる移動装置と、前記移動装置に取り付けられて前記移動部材を覆うキャップとを少なくとも有し、前記移動部材は、高さが変化する肩部が設けられた端部を有し、前記端部は突き出し具を取り付け可能に構成され、前記キャップには、前記突き出し具が貫通可能な貫通孔と、前記貫通孔内に向けて突起する突起部とが形成され、前記突起部の前記移動部材の肩部が当接することにより、前記突き出し具の前記キャップから突き出す長さが規定されるという構成である。
この突き出し装置では、キャップの貫通孔内に向けて突起する突起部に当接する移動部材の肩を選択することにより、キャップの交換等の煩わしい作業を行なうことなく、突き出し具の突き出す長さを簡単に調節できる。また、突き出し装置の構造は簡単であり、高さが変化する肩部の形成や、キャップの突起部などは、それに応じた金型等を準備することにより容易に作製できる。なお、キャップは移動装置と着脱自在であってもよい。
本発明の突き出し装置において、移動部材における肩部の高さの変化は、連続的でも段階的でもよいが、より確実に突き出し長さを調節できるという理由などから、肩部の高さは段階的に変化するのが好ましい。この場合、肩部の高さは、例えば、２〜１２段階で変化し、好ましくは２〜５段階で変化することであり、より好ましくは２〜３段階で変化することである。
また、肩部の高さが段階的に変化する態様は、連続的でも不連続でもよい。前記連続的な段階変化とは、肩部が、高い肩部から低い肩部へと順番に並んでいる場合をいう。また、前記不連続的な段階変化とは、様々な高さの肩部が、その高さの大小に関係なくランダムに並んでいる場合をいう。
肩部の高さが段階的に変化する場合においては、移動部材は、その移動方向に沿って線状に延びた凸部（通常、「リブ」と言われる）を複数有し、前記凸部の各々は、段階的に変化する肩部の各高さと対応し、前記移動装置は前記凸部が嵌入される溝を有し、前記凸部が前記溝に嵌入した状態で、前記移動部材を前記移動装置によって移動させることにより、前記溝に嵌入された凸部に対応する所定の高さの肩部と、前記キャップに形成された前記突起部とが当接するという構成であることが好ましい。
この構成によれば、目的とする高さの肩部を前記突起により確実に当接することができる。なお、前記凸部と前記溝とを逆にしてもよい。すなわち、前記移動部材の側面に、前記凸部に代えて溝を形成し、移動装置に、前記溝に代えて凸部を形成し、この移動装置の凸部を移動部材の溝に嵌入してもよい。
本発明の突き出し装置において、前記移動部材の端部に取り付ける突き出し具としては、例えば、ノミ、砥石、カンナ、スクレーパ、ドリル、ノコギリ、レンチ、カッター、ヤスリ、又はリーマが挙げられる。
また、本発明の突き出し装置がランセットアセンブリとして用いられる場合であれば、突き出し具としては、ランセット用の針又は刃が挙げられる。この場合、前記移動部材は、ランセットを構成する柱状本体であり、前記移動装置はランセット射出デバイスを構成するデバイス本体であり、又前記キャップはランセット射出デバイスを構成するキャップである。
更に、本発明の突き出し装置がランセットアセンブリとして用いられ、突き出し具がランセット用の針又は刃である場合では、突き出し具がキャップから突き出す長さは、例えば、０．０〜４．０ｍｍの範囲、好ましくは０．２〜３．３ｍｍの範囲、より好ましくは０．２〜１．０ｍｍの範囲である。
また、この場合においては、突き出し具がキャップから全く飛び出さない態様であっても良い（すなわち、突き出し長さ０ｍｍ）。この態様であっても、キャップ先端に指の腹部をやや強く押しつければ、指の腹部が盛り上がって貫通孔内部に突出し、この状態で移動部材を射出すると、飛び出し距離が０ｍｍであっても、指の腹部に針又は刃が突き刺さるからである。針や刃をあまり深く刺したくない場合は、実際にこのような方法がとられることもある。
【図面の簡単な説明】
図１は、本発明の実施の形態１にかかる突き出し装置を示す斜視図である。
図２は、本発明の実施の形態１にかかる突き出し装置を構成する移動部材を示す斜視図である。
図３は、本発明の実施の形態１にかかる突き出し装置を構成するキャップを示す斜視図である。
図４は、本実施の形態１において、移動部材の肩部がキャップに当接する状態を示す斜視図である。
図５は、本実施の形態１において、移動部材の肩部がキャップに当接する状態を示す斜視図である。
図６は、本実施の形態１において、移動部材の肩部がキャップに当接する状態を示す斜視図である。
図７は、キャップの突起の高さが異なる例を示す図である。
図８は、本発明の実施の形態２にかかる突き出し装置の一例を示す斜視図である。
図９は、本発明の実施の形態２にかかる突き出し装置の他の例を示す斜視図である。
図１０は、本発明の実施の形態２にかかる突き出し装置の他の例を示す斜視図である。
図１１は、本発明の実施の形態２にかかる突き出し装置の他の例を示す斜視図である。
図１２は、本発明の実施の形態２にかかる突き出し装置の他の例を示す斜視図である。
発明を実施するための最良の形態
以下に、本発明の突き出し装置について図１から図１２に基づき説明する。これらの図において、同一部分には同一符号を付している。
（実施の形態１）
最初に、本発明の実施の形態１にかかる突き出し装置について説明する。図１は、本発明の実施の形態１にかかる突き出し装置を示す斜視図である。図２は、本発明の実施の形態１にかかる突き出し装置を構成する移動部材を示す斜視図である。図３は、本発明の実施の形態１にかかる突き出し装置を構成するキャップを示す斜視図である。
図１に示すように、本実施の形態１にかかる突き出し装置は、移動部材１と、移動部材１を長さ方向に移動させる移動装置３と、移動部材１を覆うキャップ２とを少なくとも有している。本実施の形態１においては、移動部材は柱状に形成されており、移動部材１の一方の端部（先端部）は突き出し具１４が取り付け可能に構成されている。図１の例では、この一方の端部には突き出し具１４が取り付けられている。移動部材１の他方の端部は移動装置３にセットされている。キャップ２は移動部材１に被せられ、移動装置３に取り付けられる。
本実施の形態１において、突き出し装置は、医療器具であるランセットアセンブリである。本実施の形態１では、移動部材１と突き出し具１４とでランセットが構成されている。つまり、移動部材はランセットを構成する柱状本体であり、突き出し具１４は穿刺用（ランセット用）の針である。また、移動装置３とキャップ２とでランセット射出デバイスが構成されており、移動装置３は射出機能を有するデバイス本体である。
本実施の形態１では、移動部材１の先端部には、突き出し具１４が取り付け可能であるように、突き出し具１４である針を嵌入するための孔が設けられている。但し、本明細書でいう「突き出し具が取り付け可能」とは、移動部材１と別に作製された突き出し具１４を後から取り付けられるように移動部材１が構成されている場合だけに限られず、突き出し具１４が取り付けられた状態で移動部材１が作製される場合も含まれる。例えば、移動部材１を樹脂等で成型する場合に、型に突き出し具１４を設置し、移動部材１を突き出し具１４と一体的に成型することによって、突き出し具１４を移動部材１に固定する場合も含まれる。
移動装置３は、内部に弾性体（図示せず）を備えており、この弾性体によって、移動部材１を先端部側に向けて射出し、これをその長さ方向に移動させる。また、移動装置には、これとは別に弾性体も備えられており、この弾性体によって、射出された移動部材は自動的に元の位置に戻るようになっている。本実施の形態１において、これらの弾性体としてはコイルバネが用いられている。
なお、本発明において、移動装置３はこの態様に限定されるものではない。例えば、使用者が任意に移動部材を元の位置に戻せる態様や、使用者が力を加えることで移動部材を元に位置に戻せる態様であっても良い。更に、射出された移動部材を射出後の位置で保持できる態様であっても良い。
図１及び図２に示すように、移動部材１の先端部には、高さが変化する肩部１１〜１４が設けられている。本実施の形態１では、最も高い肩部１１、中程度の高さの肩部１２、最も低い肩部１３がそれぞれ２個づつ形成されている。更に、移動部材１は、側面に、その移動方向に沿って線状に延びた凸部を３つ有している。凸部１１０は、最も高い肩部１１と、凸部１２０は中程度の高さの肩部１２と、凸部１３０は最も低い肩部１３と、それぞれ対応している。
また、図１に示すように、移動装置３において、移動部材１がセットされる部分には、Ｃ字状部材３１が配置されており、このＣ字状部材３１の空隙部（溝）３２に、ランセット１の３つの凸部１１０，１２０，１３０のうちの一つが嵌入する。このため、移動部材１は空隙部３２をガイドとして移動する。
なお、本発明において移動部材１の形状は、特に制限されるものではなく、突き出し具１４を取り付け可能な形状であれば良い。具体的には移動部材１は、円柱状や角柱（例えば、三角柱、四角柱、五角柱など）状、断面形状が星型のような柱状、円錐状や角錐状であるのが好ましい。また、移動部材１は、板状や棒状であっても良く、更には板材や棒材を組み合わせて構成したものであっても良い。
また、移動部材１の側面に凸部の代わりに溝部を設け、移動装置３にＣ字状部材３１の代わりに凸部を設け、この凸部が移動部材１の溝に嵌入する態様とすることもできる。
つぎに、図１および図３に示すように、キャップ２の先端部には、貫通孔２２が形成され、これは、ランセットの針である突き出し具１４が貫通可能な大きさである。この貫通孔２２部分において、二つの突起部２１が、貫通孔２２の中心に向かって突き出ている。なお、本発明の突き出し装置において、この突起部２１の数は特に制限されず、例えば、１個でもよいし、３個若しくはそれ以上であってもよい。
本実施の形態１においては、移動部材１が移動装置３によって移動すると、この二つの突起部２１は、移動部材１の肩部１１〜１３のいずれかと当接する。このため、突き出し具１４がキャップ２から突き出す長さが規定される。なお、本明細書でいう「突き出す長さ」とは、キャップ２の先端を基準とした、突き出し具１４の高さをいう。
次に、ランセットアセンブリであるこの突き出し装置を用いた採血について、説明する。まず、ランセットである移動部材１の所定の凸部（図１においては凸部１３０）を、Ｃ字状部材３１の空隙部（溝）３２に嵌入させた状態で、移動部材１を、デバイス本体である移動装置３にセットする。
このセットの際に、移動装置３に収納されているバネ（図示せず）が圧縮若しくは伸長した状態になる。そして、移動部材１にキャップ２を被せる。この際若しくは被せた後で、移動部材１が射出された際に、目的とする高さの肩部（１１、１２若しくは１３）が、キャップ２の突起部２１に当接するように、キャップ２を回転させるなどして突起部２１の位置を調節する。なお、移動部材１の射出前では、肩部（１１、１２若しくは１３）は突起部２１に当接していない。
この状態で、採血したい身体部分に、突き出し装置の先端（キャップ２の先端）を接触させ、移動装置３のボタン（図示せず）を押して、内部に収納されているバネの圧縮若しくは伸長状態を解除することにより、移動部材１が射出され、その長さ方向に移動する。
これにより、移動部材１に取り付けられた突き出し具（穿刺用の針）１４は、キャップ２の貫通孔２２を通り、皮膚を突刺すが、移動部材１の先端部に設けられた肩部（１１、１２若しくは１３）が、突起部２１に当接するため、それ以上進むことがない。
図４〜図６は、本実施の形態１において、移動部材の肩部がキャップに当接する状態を示す斜視図である。
図４に示すのは、最も低い肩部１３が突起２１に当接した状態である。この場合は、突き出し具１４の突出する距離が最も長く、したがって、突刺し深さも最も深い。図５に示すのは、高さが中程度の肩部１２が突起２１に当接した状態である。この場合は、突き出し具１４の突出する距離も中程度で、突刺し深さも中程度である。図６に示すのは、最も高い肩部１１が突起２１に当接した状態である。この場合は、突き出し具１４の突出する距離が最も短く、したがって、突刺し深さも最も浅い。
この射出の際、移動部材１の側面の凸部（１１０、１２０若しくは１３０）がデバイス本体のＣ字状部材空隙（溝）３２に嵌入しているため、これがガイドとなって、確実に、目的の肩部が突起部２１に当接する。そして、突き出し具１４が皮膚を突刺した後は、別のバネの作用により、移動部材１は自動的に移動装置３に向かって引っ込む。その後は、突き出し装置を取り除き、出血した部分から採血し、血糖値計等で血糖値等を測定する。
本実施の形態１においては、３段階で突刺し深さを調節するが、本発明はこれに限定されない。また、突き出し具１４である針の長さ等のその他の条件は、ランセットである移動部材１の大きさや用途等により適宜決定される。
また、本実施の形態１では、キャップ２自身は固定されて、その内部を移動部材１が移動し、キャップ２の突起部２１に移動部材の肩部（１１、１２若しくは１３）が衝突することにより、突き出し具１４の突き出す長さが規定されているが、本発明はこれに限定されない。例えば、予め、移動部材１の肩部（１１、１２若しくは１３）をキャップ２の突起部２１に当接させて固定し、これにより所定の長さで突き出し具１４をキャップ２の外に突き出させ、この状態でキャップ２ごと移動部材１を移動させて、突き出し具１４を皮膚に突刺すという構成でもよい。
更に、本実施の形態１では、キャップ２の２つの突起部２１は同じ高さであったが、本発明は、これに限定されず、突起部が複数ある場合は高さが異なっていてもよい。図７は、キャップの突起の高さが異なる例を示す図である。同図において、同一部分については図１と同一符号を付している。また、移動部材１及び突き出し具１４については簡略化して示している。
図７に示すように、複数の突起部２１の高さが異なれば、移動部材の肩部の高さと突起部２１の高さの組み合わせにより、突刺し深さの選択のバリエーションが増えることになる。
なお、ランセットアセンブリである本実施の形態１にかかる突き出し装置は、糖尿病患者の自己採血に限定されず、あらゆる採血に適用可能である。
（実施の形態２）
次に、本発明の実施の形態２にかかる突き出し装置について説明する。図８は、本発明の実施の形態２にかかる突き出し装置の一例を示す斜視図である。同図においては、移動部材の先端部とそれに取り付けられる突き出し具のみを示している。
図８に示すように、本実施の形態２においても、実施の形態１と同様に、移動部材１の先端部には高さの異なる肩部１１〜１３が設けられており、又移動部材１の側面にはこれらの肩部に対応する凸部１１０〜１３０が設けられている。更に、図８に示す移動部材１がセットされる移動装置（図示せず）にも、Ｃ字状部材が配置されており、Ｃ字状部材の空隙には凸部１１０〜１３０が嵌入される。また、本実施の形態２において用いられるキャップは、図３に示したものと同様のものである。
従って、本実施の形態２においても、移動部材が移動装置によって移動すると、キャップの突起部が移動部材１の肩部１１〜１３のいずれかと当接し、突き出し具がキャップから突き出す長さが規定される。
但し、本実施の形態２においては、実施の形態１と異なり、移動部材１の先端部には、突き出し具として、針の代わりにドリル１５が取り付けられている。
なお、図８においては、ドリル１５の固定は、移動部材１の先端部に設けられた孔にドリル１５のシャンク（図示せず）を嵌入することによって行なわれているが、本実施の形態２はこれに限定されるものではない。例えば、移動部材１にチャックを備えておき、これを締め付けることによってドリル１５を固定する態様であっても良い。更に、実施の形態１でも述べたように、ドリル１５を移動部材１とが一体的に形成された態様、例えば、移動部材１を樹脂で成型する場合に、型にドリル１５を設置し、移動部材１をドリル１５と一体的に成型することによって、ドリル１５を移動部材１に固定する態様であっても良い。
また、本実施の形態２においては、移動装置（図示せず）は、移動部材１をその長さ方向に移動させる点で実施の形態１と同様であるが、弾性体等による射出機構や戻り機構を備えておらず、代わりにボールネジ等で構成された送り機構を備えている。なお、この送り機構は使用者が手動によって動作するものであっても良いし、移動部材に備えられたモーター等の動力源によって動作するものであっても良い。更に、移動装置は、実施の形態１と異なり、移動部材１の肩部（１１、１２若しくは１３）をキャップの突起部に当接させた状態で、移動部材１を保持する機構も備えている。
次に、本実施の形態２にかかる突き出し装置を用いた、穿孔加工について説明する。まず、移動部材１の所定の凸部（１１０、１２０、若しくは１３０）を、移動装置のＣ字状部材の空隙部に嵌入させた状態で、移動部材１を移動装置にセットする。
そして、移動装置にキャップを被せる。この際若しくは被せた後で、ドリル１５の切先がキャップから出たときに、目的とする高さの肩部（１１、１２若しくは１３）がキャップの突起部に当接するように、キャップを回転させるなどして突起部の位置を調節する。これにより、ドリル１５の前後の移動距離が決定され、必然的に、ドリル１５がキャップから突き出す長さも決定される。なお、本実施の形態２においては、実施の形態１と異なり、使用前において肩部が既に突起部に当接していても良い。
次いで、使用者は、キャップからドリル１５が突き出た突き出し装置を把持し、加工対象となる板材等にドリル１５を接触させ、突き出し装置ごとドリル１５を回転させて穿孔を行なう。この時、キャップから出るドリルの長さは予め決められているので、使用者はキャップが加工対象に接するまでドリル１５を回転させるだけで、任意の深さの孔を開けることが出来る。
なお、本実施の形態２では、上述のように突き出し装置全体を把持して手動で回転作業が行われるが、移動部材１をキャップ２とともに回転させてドリル１５に回転力を与える機構を、移動装置３に備えておくこともできる。また、使用者が手動による回転作業を行ないやすくするため、突き出し装置にラチェット構造を持たせることもできる。
また、本実施の形態２においては、ドリル１５に代えて別の工具を取り付けることも可能である。図９〜図１２は、本発明の実施の形態２にかかる突き出し装置の他の例を示す斜視図である。なお、図９〜図１２においても、移動部材の先端部とそれに取り付けられる突き出し具のみを示している。
図９の例では、移動部材１にノコギリ１６が突き出し具として取り付けられている。図９に示すノコギリ１６は、既に設けられた孔の加工や拡大、孔の深さの厳密な調整に用いられるクラフトノコであり、ひき廻しノコとも呼ばれるものであるが、これ以上のノコギリであっても良い。
図９に示す突き出し装置を用いた加工は、例えば、次のようにして行なう。まず、図８の例と同様に、移動部材１を移動装置にセットし、移動装置にキャップを被せ、キャップを回転させて突起部の位置を調節して、ノコギリ１６がキャップから突き出す長さを決定する。
次いで、使用者は、キャップからノコギリ１６が突き出た突き出し装置を把持し、加工対象となる孔にノコギリ１６を差し込み、作業を行なう。この時も、図８の例と同様に、キャップから出るノコギリ１６の長さは予め決められており、キャップが加工対象となる孔の周辺に接触してストッパーとして働くので、使用者は孔の径の拡大のみに注意を払えば良く、孔の深さ方向を気にする必要がない。
図１０の例では、移動部材１にノミ１７が突き出し具として取り付けられている。図１０に示すノミ１７は、既に設けられた孔の底面を平らに加工したい場合や、任意の深さの止まり孔を切削加工する際に有用な平ノミである。なお、平ノミ以外の別のノミを用いることもできる。
図１０に示す突き出し装置を用いた加工は、例えば、次のようにして行なう。図１０の例でも、まず、図８の例と同様に、移動部材１を移動装置にセットし、移動装置にキャップを被せ、キャップを回転させて突起部の位置を調節して、ノミ１７がキャップから突き出す長さを決定する
次いで、使用者は、キャップからノミ１７が突き出た突き出し装置を把持し、切削対象となる孔にノミ１７を差し込み、切削作業を行なう。この時も、図８の例と同様に、キャップから出るノミ１７の長さは予め決められており、キャップが加工対象となる孔の周辺に接触してストッパーとして働くので、使用者は、孔の底面を削り過ぎることがない。なお、図１０に示す例は、切削対象となる孔が複雑な構造を有しており、切削ポイントが入り組んだ位置にあって、孔の寸法精度が厳密な場合や、この切削ポイントよりも更に奥にも切削ポイントがある場合に有効である。
図１１の例では、移動部材１にヤスリ１８が突き出し具として取り付けられている。なお、ヤスリ１８は、既に設けられた孔の加工や拡大、孔の深さの厳密な調整に有用である。また、図１１の例では、ヤスリ１８は、断面形状が矩形の棒ヤスリであるが、これ以上の例えば円形等の断面形状を有するヤスリであっても良い。
図１１に示す突き出し装置を用いた加工は、例えば、次のようにして行なう。図１１の例でも、まず、図８の例と同様に、移動部材１を移動装置にセットし、移動装置にキャップを被せ、キャップを回転させて突起部の位置を調節して、ヤスリ１８がキャップから突き出す長さを決定する。
次いで、使用者は、キャップからヤスリ１８が突き出た突き出し装置を把持して、切削対象となる孔にヤスリ１８を差し込み、切削作業を行なう。この時も、図８の例と同様に、キャップから出るヤスリ１８の長さは予め決められており、キャップが加工対象となる孔の周辺に接触してストッパーとして働くので、使用者は、孔の径の拡大のみに注意を払えば良く、孔の深さ方向を気にする必要がない。
図１２の例では、移動部材１にリーマ１９が突き出し具として取り付けられている。なお、リーマ１９は、既に設けられた孔の直径や深さの厳密な調整に有用である。また、リーマ１９は、テーパーリーマーであるが、テーパの無いリーマであっても良い。
図１２に示す突き出し装置を用いた加工は、例えば、次のようにして行なう。図１２の例でも、まず、図８の例と同様に、移動部材１を移動装置にセットし、移動装置にキャップを被せ、キャップを回転させて突起部の位置を調節して、リーマ１９がキャップから突き出す長さを決定する。
次いで、使用者は、キャップからリーマ１９が突き出た突き出し装置を把持して、切削対象となる孔にリーマ１９を差し込み、作業を行なう。この時も、図８の例と同様に、キャップから出るリーマ１９の長さは予め決められており、キャップが加工対象となる孔の周辺に接触してストッパーとして働くので、使用者は、孔の径の拡大のみに注意を払えば良く、孔の深さ方向を気にする必要がない。
図１、図２及び図４〜図１２に示すように、本発明においては、針、ドリル、ノコギリ、ノミ、ヤスリ及びリーマを突き出し具として移動部材に取り付けることが可能であるが、本発明はこれに限定されるものではない。その他の突き出し具として、砥石、カンナ、スクレーパ、レンチ、カッター等も挙げられる。
産業上の利用可能性
以上のように、本発明の突き出し装置を用いれば、使用者は、医療用具や工具といった突き出し具の突き出し長さを、煩わしい作業を行なうことなく、簡単に調整することができる。また、本発明の突き出し装置の構造は簡単であるから、効率良く製造できる。
【図１】
0003760201.tif 000002
【図２】
0003760201.tif 000003
【図３】
0003760201.tif 000004
【図４】
0003760201.tif 000005
【図５】
0003760201.tif 000006
【図６】
0003760201.tif 000007
【図７】
0003760201.tif 000008
【図８】
0003760201.tif 000009
【図９】
0003760201.tif 000010
【図１０】
0003760201.tif 000011
【図１１】
0003760201.tif 000012
【図１２】
0003760201.tif 000013